【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
複数の加速度プロファイルを格納する段階であって、各加速度プロファイルが、前記複数の加速度プロファイルに対応する複数の活動の1つの最中にユーザと一緒に持ち運ばれるときにモバイル装置が受けることになる加速力シーケンスに対応する段階と、
前記モバイル装置内の加速度計から加速度計データを受信する段階と、
前記加速度計データを、前記複数の加速度プロファイルのうち1つの加速度プロファイルと相関させる段階と、
前記相関された1つの加速度プロファイルに関連づけられた、前記モバイル装置のユーザアプリケーションをアクティブ化する段階と
を含み、
前記加速力シーケンスのうち少なくとも1つが、前記モバイル装置とは別個である複数の装置の分析に基づいて予測される、コンピュータ実施方法。
【請求項２】
前記加速力シーケンスのうち少なくとも1つが、前記モバイル装置が対応するユーザに引き渡される前に前記モバイル装置に予め格納されている、請求項1に記載のコンピュータ実施方法。
【請求項３】
前記加速力シーケンスのうち少なくとも1つが、コンテンツプロバイダから前記モバイル装置にワイヤレスでダウンロードされる、請求項1に記載のコンピュータ実施方法。
【請求項４】
前記加速力シーケンスのうち少なくとも1つが、前記モバイル装置が受ける実際の加速力がリアルタイムでサンプリングされ、かつ、前記モバイル装置に格納されるトレーニングモード中に前記モバイル装置によって格納される、請求項1に記載のコンピュータ実施方法。
【請求項５】
相関させる段階が、前記受信された加速度計データをサンプリングする段階と、前記サンプリングされた加速度計データを、比較アルゴリズムを用いて前記複数の加速度プロファイルの1つまたは複数と比較して、前記サンプリングされた加速度計データが前記複数の加速度プロファイルのうち1つの加速度プロファイルと合致するかどうか判定する段階とを含む、請求項1に記載のコンピュータ実施方法。
【請求項６】
複数のアプリケーションを稼働するモバイル装置内のアプリケーションを自動的にアクティブ化する方法であって、
トレーニングモードにおいて、
モバイルコンピューティング装置向けのトレーニング用加速度データを受信する段階と、
前記複数のアプリケーションのうち1つのアプリケーションを起動するためのユーザ入力を受信する段階と、
前記受信された加速度データおよび前記ユーザ入力に基づいて、1つまたは複数のトレーニング用シグネチャを生成する段階と、
前記モバイルコンピューティング装置向けの追加加速度データおよび前記アプリケーションを起動するための追加ユーザ入力を受信する段階と、
前記1つまたは複数のトレーニング用シグネチャを適応的に改善する段階であって、前記トレーニング用シグネチャが、前記ユーザ入力が受信される時間に基づいてさらに生成される段階と、
前記モバイルコンピューティング装置内の加速度計から加速度計データを受信する段階と、
前記受信された加速度計データに基づいてシグネチャを生成する段階と、
前記生成されたシグネチャを、前記モバイルコンピューティング装置に格納されている加速度プロファイルと相関させる段階と、
前記生成されたシグネチャと相関される前記加速度プロファイルに関連づけられた、前記モバイルコンピューティング装置内のアプリケーションをアクティブ化する段階と
を含む方法。
【請求項７】
相関させる段階が、前記生成されたシグネチャを、前記モバイルコンピューティング装置に格納されている1つまたは複数の加速度プロファイルと比較する段階と、前記生成されたシグネチャと前記1つまたは複数の加速度プロファイルの1つが類似性の閾値測度内で合致するときを判定する段階とを含む、請求項6に記載の方法。
【請求項８】
トレーニング用加速度データを受信する段階が、前記モバイルコンピューティング装置に含まれる前記加速度計からデータを受信する段階を含む、請求項6に記載の方法。
【請求項９】
前記トレーニング用加速度データが、少なくとも2つの軸における、前記モバイルコンピューティング装置に関する加速度データを含む、請求項8に記載の方法。
【請求項１０】
トレーニング用加速度データを受信する段階が、前記モバイルコンピューティング装置に関する前記トレーニング用加速度データを、少なくとも25Hzのレートで周期的に受信する段階を含む、請求項9に記載の方法。
【請求項１１】
受信されたトレーニング用加速度データを、最近受信された所定量のトレーニング用加速度データが所与の時間に格納されるように、先入れ先出し循環バッファに格納する段階をさらに含む、請求項6に記載の方法。
【請求項１２】
前記トレーニング用シグネチャが、前記ユーザ入力が受信される曜日に基づいてさらに生成される、請求項6に記載の方法。
【請求項１３】
前記トレーニング用シグネチャが、前記ユーザ入力が受信されるときの前記モバイルコンピューティング装置の場所に基づいてさらに生成される、請求項6に記載の方法。
【請求項１４】
第1の時間に受信される、前記トレーニング用加速度データおよび前記アプリケーションを起動するための前記ユーザ入力に基づいて第1のトレーニング用シグネチャを生成する段階と、
前記第1の時間とは少なくとも所定の閾値だけ異なる第2の時間に受信される、第2のトレーニング用加速度データおよび前記アプリケーションを起動するための第2のユーザ入力に基づいて第2の、別個のトレーニング用シグネチャを生成する段階と
をさらに含む、請求項6に記載の方法。
【請求項１５】
前記トレーニング用シグネチャを生成する段階が、前記アプリケーションを起動するための前記ユーザ入力の受信に先立つ、所定の期間に受信される前記トレーニング用加速度データに基づいて前記トレーニング用シグネチャを生成する段階を含む、請求項6に記載の方法。
【請求項１６】
前記トレーニング用シグネチャを生成する段階が、前記アプリケーションを起動するための前記ユーザ入力の受信に続く、第2の所定の期間に受信される第2のトレーニング用加速度データに基づいて前記トレーニング用シグネチャを生成する段階をさらに含む、請求項15に記載の方法。
【請求項１７】
複数のアプリケーションを稼働するモバイル装置内のアプリケーションを自動的にアクティブ化する方法であって、
トレーニングモードにおいて、
モバイルコンピューティング装置向けのトレーニング用加速度データを受信する段階と、
前記複数のアプリケーションのうち1つのアプリケーションを起動するためのユーザ入力を受信する段階と、
前記受信された加速度データおよび前記ユーザ入力に基づいて、1つまたは複数のトレーニング用シグネチャを生成する段階と、
前記モバイルコンピューティング装置向けの追加加速度データおよび前記アプリケーションを起動するための追加ユーザ入力を受信する段階と、
前記1つまたは複数のトレーニング用シグネチャを適応的に改善する段階であって、前記トレーニング用シグネチャが、前記ユーザ入力が受信されるときの前記モバイルコンピューティング装置の場所に基づいてさらに生成される段階と、
前記モバイルコンピューティング装置内の加速度計から加速度計データを受信する段階と、
前記受信された加速度計データに基づいてシグネチャを生成する段階と、
前記生成されたシグネチャを、前記モバイルコンピューティング装置に格納されている加速度プロファイルと相関させる段階と、
前記生成されたシグネチャと相関される前記加速度プロファイルに関連づけられた、前記モバイルコンピューティング装置内のアプリケーションをアクティブ化する段階と
を含む方法。
【請求項１８】
複数の加速度プロファイルを格納する段階であって、各加速度プロファイルが、前記複数の加速度プロファイルに対応する複数の活動の1つの最中にユーザと一緒に持ち運ばれるときにモバイル装置が受けることになる加速力シーケンスに対応する段階と、
前記モバイル装置内の加速度計から加速度計データを受信する段階と、
前記加速度計データが受信された1組の軸とは異なる1組の軸に前記加速度計データを翻訳する段階と、
前記翻訳された加速度計データを、前記複数の加速度プロファイルのうち1つの加速度プロファイルと相関させる段階と、
前記相関された1つの加速度プロファイルに関連づけられた、前記モバイル装置のユーザアプリケーションをアクティブ化する段階と
を含むコンピュータ実施方法。
【請求項１９】
複数の加速度プロファイルを格納する段階であって、各加速度プロファイルが、前記複数の加速度プロファイルに対応する複数の活動の1つの最中にユーザと一緒に持ち運ばれるときにモバイル装置が受けることになる加速力シーケンスに対応する段階と、
前記モバイル装置内の加速度計から加速度計データを受信する段階と、
前記加速度計データの優位周波数を識別する段階と、
前記識別された優位周波数が、前記1つの加速度プロファイルの優位周波数と似ていることを検出することによって、前記加速度計データを、前記複数の加速度プロファイルのうち1つの加速度プロファイルと相関させる段階と、
前記相関された1つの加速度プロファイルに関連づけられた、前記モバイル装置のユーザアプリケーションをアクティブ化する段階と
を含むコンピュータ実施方法。